(57)【特許請求の範囲】
【請求項１】
加熱タンクに流入する海水をバーナーの稼働によって加熱する海水加熱装置において、
内部に配設された前記バーナーの点火時に加熱され、下端部が開放されている内筒と、
前記内筒が収容され、外部から海水供給管を介して流入する海水を内筒の内壁面に沿って流下させる吐出口と、前記海水供給管に分岐接続された分岐管に設けられて海水を前記内筒の外面に噴射する少なくとも１以上のノズルと、を有して、前記内筒の内外面と接触して加熱された海水を一定の水位に保って貯溜する外筒と、
前記外筒の上側に連通され、前記内筒との接触によって海水を加熱するときに発生する水蒸気を含む排ガスを外部に排出する煙道と、
前記バーナーの点火部に接続されるダクトを介して燃焼用空気を供給する送風器と、
前記外筒に貯溜される海水の水位を一定に調節する水位調節器と、
前記煙道の排出口側に設けられ、前記外筒からの排ガス中に含まれている水分を除去する水分分離器と、
を備えることを特徴とする海水加熱装置。
【請求項２】
前記バーナーの燃焼率を高めるために前記ダクトに設けられ、前記煙道を介して排出されるガスの廃熱によって外部の空気を予熱した後に、前記バーナーの点火部に供給する空気予熱器をさらに備えることを特徴とする請求項１に記載の海水加熱装置。
【請求項３】
前記海水供給管に分岐接続され、海水加熱装置の未作動時に残留塩分によって海水供給管と、分岐管と、内筒および外筒が腐食することを防ぐために、非塩水を前記海水供給管と、分岐管と、内筒および外筒に供給する洗浄水供給管をさらに備えることを特徴とする請求項１に記載の海水加熱装置。
【発明の詳細な説明】
【技術分野】
【０００１】
本発明は、海水加熱装置に係り、さらに詳しくは、加熱タンクに流入する海水（塩分を含む水をいう）をバーナーの直接加熱方式によって速やかに加熱し得る海水加熱装置に関する。
【背景技術】
【０００２】
一般に、海水加熱機は、周りの発電所または別途のボイラーなどから高温のスチームを供給されて海水を加熱することになる。海水の加熱中にスチームが凝縮され、スチームが凝縮されて生成される凝縮水は海水加熱機の下部に凝縮水吸入管を介して接続された凝縮水排出ポンプによってポンピングされて再び発電所またはボイラーに循環される。
【０００３】
あるいは、海水加熱機の加熱タンクに流入する海水の加熱が可能なように加熱タンクに多数のチューブを取り付けて、バーナーの稼動による熱媒体が循環されるチューブとの熱交換によって海水を加熱する間接加熱方式が用いられている。かような間接加熱方式の海水加熱機は熱効率が低いためバーナーを稼動するための燃料の消耗量が多大であり、実用性及び経済性に劣っている。
【発明の概要】
【発明が解決しようとする課題】
【０００４】
本発明は上記の課題を解消するためになされたものであり、その目的は、加熱タンクに流入する海水をバーナーの直接加熱方式によって速やかに加熱して熱効率を高めることにより、燃料の消耗量を低減し得る海水加熱装置を提供することである。
【０００５】
また、本発明の他の目的は、海水の加熱時に加熱タンクの内部に高温・高圧が形成されないため加熱タンクおよび付帯設備の構造が簡単になることから、コストおよび製作費が節減され、しかも、コンパクト化が図れることから、場所に寄らずに設置して用いることのできる海水加熱装置を提供することである。
【課題を解決するための手段】
【０００６】
上記の目的を達成するために、本発明の一実施形態に係る海水加熱装置は、加熱タンクに流入する海水をバーナーの稼働によって加熱する海水加熱装置において、内部に配設された前記バーナーの点火時に加熱され、下端部が開放されている内筒と、前記内筒が収容され、外部から海水供給管を介して流入する海水を内筒の内壁面に沿って流下させる吐出口と、前記海水供給管に分岐接続された分岐管に設けられて海水を前記内筒の外面に噴射する少なくとも１以上のノズルと、を有して、前記内筒の内外面と接触して加熱された海水を一定の水位に保って貯溜する外筒と、前記外筒の上側に連通され、前記内筒との接触によって海水を加熱するときに発生する水蒸気を含む排ガスを外部に排出する煙道と、前記バーナーの点火部に接続されるダクトを介して燃焼用空気を供給する送風器と、前記外筒に貯溜される海水の水位を一定に調節する水位調節器と、前記煙道の排出口側に設けられ、前記外筒からの排ガス中に含まれている水分を除去する水分分離器と、を備えることを特徴とする。
【０００８】
また、好ましくは、前記海水加熱装置は、前記バーナーの燃焼率を高めるために前記ダクトに設けられ、前記煙道を介して排出されるガスの廃熱によって外部の空気を予熱した後に、前記バーナーの点火部に供給する空気予熱器をさらに備える。
【０００９】
さらに、好ましくは、前記海水加熱装置は、前記海水供給管に分岐接続され、海水加熱装置の未作動時に残留塩分によって海水供給管と、分岐管と、内筒および外筒が腐食することを防ぐために、非塩水を前記海水供給管と、分岐管と、内筒および外筒に供給する洗浄水供給管をさらに備える。
【発明の効果】
【００１０】
上述した構成を有する本発明の実施形態に係る海水加熱装置は、下記のメリットを有する。
【００１１】
海水加熱装置の加熱タンクに流入する海水とバーナーの燃焼ガスとの接触により海水を速やかに加熱することができるので、燃料の消耗量が低減されて設備のメンテナンス費を削減することができる。
【００１２】
また、海水の加熱時に加熱タンクの内部に高温・高圧が生じないため、加熱タンクおよび付帯設備の構造が簡単になることから、制作及び設置費用が節減され、しかも、コンパクト化が図れることから、場所に拘らず設置して用いることができる。
【図面の簡単な説明】
【００１３】
【図１】本発明の一実施形態に係る海水加熱装置の概略図である。
【図２】本発明の一実施形態に係る海水加熱装置の使用状態図である。
【発明を実施するための形態】
【００１４】
以下、添付図面に基づき、本発明の好適な実施形態について詳述するが、これは本発明が属する技術分野において通常の知識を持った者が容易に実施できる程度に詳細に説明するためのものに過ぎず、これにより本発明の技術的な思想および範ちゅうが限定されることはない。
【００１５】
図１および図２に示すように、本発明の一実施形態に係る海水加熱装置は、加熱タンクに流入する海水をバーナーの稼動によって加熱する海水加熱装置であって、内部に配設されたバーナー１０の点火時に加熱され、下端部が開放されている内筒１１と、内筒１１が収容され、外部から海水供給管１２を介して流入する海水を内筒１１の内壁面に沿って流下させる吐出口１２ｂと、海水供給管１２に分岐接続された分岐管１２ａを介して供給される海水を内筒１１の外面に噴射する少なくとも１以上のノズル１３と、を備え、内筒１１の内外面と接触して加熱された海水を一定の水位に保って貯溜する外筒１４と、外筒１４の上側に連通され、内筒１１の内外面との接触によって海水を加熱するときに発生する水蒸気を含む排ガスを外部に排出する煙道１５と、バーナー１０の点火部に接続されるダクト１６を介して燃焼用外部空気（酸素をいう）を供給する送風器１７と、設定された最低水位および最高水位を保つように制御することにより、外筒１４に貯溜される海水の水位を一定に調節する水位調節器１８と、を備える。
【００１６】
このとき、好ましくは、前記海水加熱装置は、煙道１５の排出口側に設けられ、外筒１４からの排ガス中に含まれている水分を除去する水分分離器１９をさらに備える。
【００１７】
また、好ましくは、前記海水加熱装置は、前記バーナー１０の燃焼率を高めるために前記ダクト１６に設けられ、煙道１５を介して排出されるガスの廃熱によって外部の空気を予熱した後に、バーナー１０の点火部に供給する空気予熱器２０をさらに備える。
【００１８】
さらに、好ましくは、前記海水加熱装置は、前記海水供給管１２に分岐接続され、海水加熱装置の未作動時に残留塩分によって海水供給管１２と、分岐管１２ａと、内筒１１および外筒１４が腐食することを防ぐために、非塩水を海水供給管１２と、分岐管１２ａと、内筒１１および外筒１４に供給する洗浄水供給管２１をさらに備える。
【００１９】
図中、説明されていない符号２２は、外筒１４内の加熱済みの海水の温度を検出する温度センサーである。
【００２０】
以下、添付図面に基づいて、本発明の一実施形態に係る海水加熱装置の使用例について詳述する。
【００２１】
図２に示すように、前記海水供給管１２の入口側に設けられたポンプ（図示せず）を駆動することにより、外部からの海水を海水供給管１２の吐出口１２ｂを介して内筒１１の内面に流下するように供給し、これと同時に、海水供給管１２に分岐接続された分岐管１２ａを介して外筒１４内に設けられた少なくとも１以上のノズル１３に供給することができる。
【００２２】
このとき、内筒１１に配設されたバーナー１０の点火部に燃料供給管（図示せず）を介して燃料を供給し、モーター２３に接続された送風器１７を駆動して燃焼用外部空気（酸素をいう）を、ダクト１６を介してバーナー１０の点火部に供給してバーナー１０を点火させる。このとき、送風器１７によってバーナー１０の点火部に供給される外部空気は、煙道１５を介して外部に排出されるガスの廃熱と熱交換される空気予熱器２０によって予熱されたものである。これにより、バーナー１０の燃焼率を高めることができる。
【００２３】
一方、前記バーナー１０の炎によって内筒１１が加熱されるので、海水供給管１２の吐出口１２ｂを介して供給されて内筒１１の内面に沿って流下する海水と、ノズル１３によって内筒１１の外面に噴射される海水を熱交換によりそれぞれ加熱することが可能になる。
【００２４】
以上述べたように、バーナー１０によって加熱された内筒１１の内外面に接触して加熱される海水は、内筒１１（下端部が開放されている）の内外面に沿って流下して外筒１４に集まる。このとき、加熱後に外筒１４に集まる海水は、水位調節器１８によって設定水位に保たれる。すなわち、外筒１４に集まる海水の水位が設定下限値よりも低い場合に、バーナー１０を止めてその過熱を防ぎ、これに対し、外筒１４の海水の水位が設定上限値よりも高い場合にはポンプの駆動を制御して吐出口１２ｂおよびノズル１３への海水の流入量を調節する。
【００２５】
前記内筒１１と接触して加熱された後に、外筒１４の底面に集まる海水の温度を検出する温度センサー２２によって検出された温度が設定値を超える場合に、バーナー１０の燃焼温度を調節することができる。
【００２６】
また、内筒１１の内外面との接触によって海水を加熱するときに外筒１４内に発生される水分（塩分を含む）が煙道１５を介して外部に排出されるガスと共に排出されることを防ぐことができる。すなわち、排ガス中に含まれている水分を煙道１５の出口側に設けられた水分分離器１９によって除去することにより、塩分の排出によって環境が汚染されることを防ぐことができる。
【００２７】
さらに、海水加熱装置の未作動時に（バーナー１０の点検などによって海水加熱装置を止めた場合を言う）、海水供給管１２に分岐接続された洗浄水供給管２１を介して非塩水を海水供給管１２と、分岐管１２ａと、内筒１１の内外面および外筒１４に供給することにより、前記海水供給管１２と、分岐管１２ａと、内筒１１の内外面および外筒１４の内面に残留されている塩分などの残渣を洗い取るので、これらの塩分の接触による腐食を防ぐことができる。
【００２８】
以上述べたように、本発明の一実施形態に係る海水加熱装置によれば、加熱タンクに流入する海水をバーナーの直接加熱方式によって速やかに加熱して熱効率を高めることができる。なお、海水の加熱時に加熱タンクの内部に高温・高圧が生じないため加熱タンクおよび付帯設備の構造がコンパクトになることから、これらの原価および製作コストを大幅に節減することができる。
【符号の説明】
【００２９】
１０  バーナー
１１  内筒
１２  海水供給管
１３  ノズル
１４  外筒
１５  煙道
１６  ダクト
１７  送風器
１８  水位調節器
１９  水分分離器
２０  空気予熱器
２１  洗浄水供給管
２２  温度センサー
【図１】
0005634552.tif 000002
【図２】
0005634552.tif 000003